(57)【要約】【課題】台所で発生する生ごみを簡単に手際よく清潔に処理することができる。また、シンク内を広く使えるようにして台所作業を円滑に行えるようにする手段を提供する。【解決手段】生ごみ入れ内に防水性の袋をセットしこの袋の中に生ごみを入れ、生ごみがたまった場合には袋ごと始末することにより簡単に手際よく清潔に生ごみを処理することができる。また、防水性の袋を使うことにより生ごみ入れの置き場所は限定されないため台所の最も都合のよい所に置くことができる。従って、シンク内に生ごみ入れをセットする必要がなく、シンク内を清潔に広く使うことができる。また、防水性の袋を使うため生ごみ入れ容器自体に防水性の必要がない。従って、その特徴を利用し生ごみ入れを使用上、製造上、流通上最も都合のよい構成にすることができる。【選択図】        図１
2004149312.tif 000002
【特許請求の範囲】
【請求項１】
筒状部１のみで構成されていることを特徴とする生ごみ入れ。
【請求項２】
筒状部１と筒状部１の下部が内側に折れ曲がっている折り曲げ部２で構成されていることを特徴とする生ごみ入れ。
【請求項３】
筒状部１が、筒の側面板の折り曲げとＡ方式結合部３で構成されていることを特徴とする請求項１または請求項２記載の生ごみ入れ。
【請求項４】
取り外し可能な底ふた４を筒状部１の下部に設けたことを特徴とする請求項２または請求項３記載の生ごみ入れ。
【請求項５】
Ａ方式結合部３とＢ方式結合部５を組合せ、筒状部１を分解および組み立てができるようにしたことを特徴とする請求項４記載の生ごみ入れ。
【発明の詳細な説明】
【０００１】
【発明が属する技術分野】
本発明は、台所で発生する生ごみを簡単に手際よく清潔に処理するための生ごみ入れに関するものである。
【０００２】
【従来の技術】
従来は、金網等で製作された生ごみ入れをシンクの片隅に置き、この中にセットした網袋に生ごみを入れていた。また、専用の生ごみ処理機をキッチンに取り付け、生ごみをこの機械で処理するという方法も使われていた。
【０００３】
しかし、網袋の中にたまった生ごみを金網容器から取り出すときに生ごみから水滴がたれるため、生ごみの始末をするときに不便であるという欠点があった。
【０００４】
また、生ごみ入れがシンクの一部をふさぐためシンク内を広く使うことができないという欠点もあった。
【０００５】
また、網袋の中にはさまざまな種類の生ごみが入り、台所作業をするときにそれらに水滴がかかるためシンク内が不潔になりやすいという欠点もあった。
【０００６】
また、専用の生ごみ処理機は、既設のキッチンに取り付けることが困難であり、取り付けに大きなスペースを必要とし、また、高価であるという欠点があった。
【０００７】
【発明が解決しようとする課題】
解決しようとする問題点は、台所で発生する生ごみを簡単に手際よく処理できないこと、従来の生ごみ入れをシンク内にセットするとシンク内が狭くなること、およびシンク内が不潔になりやすいことである。
【０００８】
【課題を解決するための手段】
生ごみ入れとして最適な容器を製作し、この容器の中に防水性の袋をセットして生ごみをこの袋の中に入れ、生ごみ入れにたまった生ごみは防水性の袋ごと始末することを最も主要な特徴とする。
【０００９】
【発明の実施の形態】
本発明の生ごみ入れに防水性の袋を入れ、この袋の中に生ごみを入れるため生ごみは防水性の袋と一緒に始末することができる。したがって、生ごみを簡単に清潔に、また手際よく処理することができる。また、この生ごみ入れには防水性の袋がセットしてあるため台所の最も適切なところに置くことができるためシンク内に置く必要がなくシンク内を広く使うことができる。本発明において筒状部とは断面が方形、円形、楕円形、三角形などいろいろな形をした筒を意味している。
【００１０】
【実施例】
図１は、本発明による生ごみ入れの１実施例の斜視図である。本発明の生ごみ入れは内部に防水性の袋をセットして使うため生ごみ入れ容器自体に防水性は必要なく、従って図１の筒状部１のみでも生ごみ入れとして使用することができる。防水性の袋としては薄いポリ袋等を使用することができる。筒状部１の断面の形状は方形に限定される必要はなく円形、楕円形、三角形など使用条件により最適な形とすることができる。
【００１１】
筒状部１の下部の一部が内側に曲げられた折り曲げ部２を設けることにより生ごみ入れを台所にセットしたときの安定性を増すことができ、また、生ごみ入れを多少持ち上げても生ごみの入った袋が下に抜け落ちてしまわないという利点がある。折り曲げ部２は図１の形に限定される必要はなく、さまざまな形状、寸法とすることができる。
【００１２】
生ごみ入れを製作する方法として、筒状部１を構成する側面板の３つの角を折り曲げ方式で、また、１つの角をＡ方式結合部３の方法で行うことにより、接着剤やその他の方法を使わずに生ごみ入れを組み立てることができる。本発明において、Ａ方式結合部とは結合すべき２枚の側面板の先端に図１に示すような突出部を設け２枚の側面板を互いに上下にスライドさせることにより組み合わせる方法を意味している。側面板を互いに上下にスライドさせるには、生ごみ入れを構成している素材の弾力性を利用している。Ａ方式結合部の突出部の数や寸法は図１に示すものに限定する必要はない。
【００１３】
生ごみ入れの下端に取り外し可能な底ふた４を設けることにより、生ごみの入った生ごみ入れを持ち上げても生ごみの入った袋が下に落ちないという利点がある。また、底ふた４を取り外し可能とすることで生ごみ入れを洗う場合に便利になり、また、通常は取り外した底ふた４を洗うだけで清潔な状態を保つことができる。底ふた４の形状は箱型に限定される必要はなく平面その他さまざまな形状とすることができる。
【００１４】
生ごみ入れを製作する方法として、筒状部１を構成する側面板の３つの角をＢ方式結合部５の方法で結合し、１つの角をＡ方式結合部３の方法で結合することにより、生ごみ入れを４枚の側面板と１枚の底ふたに分解および組み立てができるようにできる。この方法を使用すると生ごみ入れを洗う場合に便利であり、また、分解した状態ではかさばらないため、製造、流通段階ではさまざまな利点が生ずる。本発明においてＢ方式結合部とは、Ａ方式結合部と異なり結合すべき２枚の側面板を互いに上下にスライドさせることなく２枚の側面板を組み合わせるようにしたことを意味する。
【００１５】
本発明の生ごみ入れは、アルミニューム、ステンレススチールなどの金属板やプラスチックなどで製作することができる。
【００１６】
【発明の効果】
以上説明したように本発明の生ごみ入れは、内部に防水性の袋をセットしその袋の中に生ごみを入れる。従って、生ごみ入れにたまった生ごみは防水性の袋ごと始末することができるため生ごみを手際よく清潔に処理することができる。また、置き場所が限定されず台所の一番都合のよいところに置くことができるため生ごみ入れをシンク内にセットする必要がなくシンク内を広く使うことができる。また、本発明の生ごみ入れは内部に防水性の袋をセットして使うため生ごみ入れ容器自体に防水性の必要はなく、その特徴を生かして使用上、製造上、流通上などで最も都合のよい構成とすることができる。
【図面の簡単な説明】
【図１】本発明による生ごみ入れの１実施例の斜視図
【図２】底ふた４の斜視図
【図３】Ｂ方式結合部５の斜視図
【符号の説明】
１    筒状部
２    折り曲げ部
３    Ａ方式結合部
４    底ふた
５    Ｂ方式結合部
【図１】
2004149312.tif 000003
【図２】
2004149312.tif 000004
【図３】
2004149312.tif 000005